【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
取り付け具と、
前記取り付け具から伸長する伸長部と、
前記伸長部上に挿入された少なくとも１つの磁石を含む復元バネと
を備えるサンプリングプローブ。
【請求項２】
前記取り付け具は、外側に歯状をもつ表面を有する実質的に筒状部を含む請求項１に記載のサンプリングプローブ。
【請求項３】
前記伸長部は、内部通路を含む請求項１に記載のサンプリングプローブ。
【請求項４】
前記復元バネは、少なくとも３つの磁石を含む請求項１に記載のサンプリングプローブ。
【請求項５】
前記復元バネは、第１の方向に沿って配向された極性を有する少なくとも２つの磁石と、前記第１の方向の反対の方向に沿って配向された極性を有する少なくとも１つの付加的な磁石とを含む請求項４に記載のサンプリングプローブ。
【請求項６】
少なくとも３つの前記磁石のうちの少なくとも１つは、希土類磁石である請求項４に記載のサンプリングプローブ。
【請求項７】
前記少なくとも３つの磁石の各々は、希土類磁石である請求項４に記載のサンプリングプローブ。
【請求項８】
前記サンプリングプローブは、光センサを備えない請求項１に記載のサンプリングプローブ。
【請求項９】
前記サンプリングプローブは、非磁性金属スプリングを備えない請求項１に記載のサンプリングプローブ。
【請求項１０】
前記サンプリングプローブは、歪みゲージを備えない請求項１に記載のサンプリングプローブ。
【請求項１１】
前記サンプリングプローブは、電気コンタクトを備えない請求項１に記載のサンプリングプローブ。
【請求項１２】
前記ホール効果センサおよび前記少なくとも３つの磁石の特性は、前記復元バネが障害物の検知を可能にし、かつ前記サンプリングプローブの先端を破損せずに止める復元力を提供することを可能にするように選択される請求項４に記載のサンプリングプローブ。
【請求項１３】
ハウジングと、
前記ハウジング上に取り付けたホール効果センサと、
前記ハウジングに挿入されたサンプリングプローブであって、伸長部と前記伸長部上に挿入された少なくとも１つの磁石を含むサンプリングプローブと
を備えるサンプリングシステム。
【請求項１４】
前記ハウジングは、非鉄金属のハウジングとアルマイトハウジングとのうちの１つから選ばれる請求項１３に記載のサンプリングシステム。
【請求項１５】
前記サンプリングプローブは、外側に歯状をもつ表面を有する実質的に筒状部を含む取り付け具をさらに含む請求項１３に記載のサンプリングシステム。
【請求項１６】
前記伸長部は、内部通路を含む請求項１３に記載のサンプリングシステム。
【請求項１７】
前記少なくとも１つの磁石は、少なくとも３つの磁石を含む請求項１３に記載のサンプリングシステム。
【請求項１８】
前記少なくとも１つの磁石は、第１の方向に沿って配向された極性を有する少なくとも２つの磁石と、前記第１の方向の反対の方向に沿って配向された極性を有する少なくとも１つの付加的な磁石とを含む請求項１７に記載のサンプリングシステム。
【請求項１９】
前記少なくとも３つの磁石の各々は、希土類磁石である請求項１７に記載のサンプリングシステム。
【請求項２０】
前記サンプリングプローブは、光センサを備えない請求項１３に記載のサンプリングシステム。
【請求項２１】
前記サンプリングプローブは、非磁性金属スプリングを備えない請求項１３に記載のサンプリングシステム。
【請求項２２】
前記サンプリングプローブは、歪みゲージを備えない請求項１３に記載のサンプリングシステム。
【請求項２３】
前記サンプリングプローブの軸の較正を通じてサンプリングプローブのドリフト補償を可能にするように構成されたアナログセンサをさらに備える請求項１３に記載のサンプリングシステム。
【請求項２４】
約２．５ｍｍ〜約４．５ｍｍの間のストロークを用いて前記サンプリングプローブの動作を制御するように構成されたコントローラをさらに備え、前記ストロークは、検知用として約０．７５ｍｍ〜約１．２５ｍｍの間、および停止用として約０．７５ｍｍ〜約１．２５ｍｍの間を含む請求項１３に記載のサンプリングシステム。
【請求項２５】
前記ストロークは、動作雑音用として約０．７５ｍｍ〜約１．２５ｍｍの間をさらに含む請求項２４に記載のサンプリングシステム。
【請求項２６】
前記ストロークは、オーバーストローク用として約０．２５ｍｍ〜約０．７５ｍｍの間をさらに含む請求項２４に記載のサンプリングシステム。
【手続補正２】
【補正対象書類名】明細書
【補正対象項目名】００２２
【補正方法】変更
【補正の内容】
【００２２】
前述の概説および以下の詳細な説明は、例示的であって、本教示の範囲を何ら限定するものではない。本明細書において論じられる実施形態の特徴の多様な組合せを含む、本明細書において具体的に論じられた他の実施形態あるいは実施形態の変形を、以下の詳細な説明から実現してもよいし、または本教示の実施によって習得してもよい。
本願明細書は、例えば、以下の項目も提供する。
（項目１）
取り付け具と、
前記取り付け具から伸長する伸長部と、
前記伸長部上に挿入された少なくとも１つの磁石を含む復元バネと
を備えるサンプリングプローブ。
（項目２）
前記取り付け具は、外側に歯状をもつ表面を有する実質的に筒状部を含む項目１に記載のサンプリングプローブ。
（項目３）
前記伸長部は、内部通路を含む項目１に記載のサンプリングプローブ。
（項目４）
前記復元バネは、少なくとも３つの磁石を含む項目１に記載のサンプリングプローブ。
（項目５）
前記復元バネは、第１の方向に沿って配向された極性を有する少なくとも２つの磁石と、前記第１の方向の反対の方向に沿って配向された極性を有する少なくとも１つの付加的な磁石とを含む項目４に記載のサンプリングプローブ。
（項目６）
少なくとも３つの前記磁石のうちの少なくとも１つは、希土類磁石である項目４に記載のサンプリングプローブ。
（項目７）
前記少なくとも３つの磁石の各々は、希土類磁石である項目４に記載のサンプリングプローブ。
（項目８）
前記サンプリングプローブは、光センサを備えない項目１に記載のサンプリングプローブ。
（項目９）
前記サンプリングプローブは、非磁性金属スプリングを備えない項目１に記載のサンプリングプローブ。
（項目１０）
前記サンプリングプローブは、歪みゲージを備えない項目１に記載のサンプリングプローブ。
（項目１１）
前記サンプリングプローブは、電気コンタクトを備えない項目１に記載のサンプリングプローブ。
（項目１２）
前記ホール効果センサおよび前記少なくとも３つの磁石の特性は、前記復元バネが障害物の検知を可能にし、かつ前記サンプリングプローブの先端を破損せずに止める復元力を提供することを可能にするように選択される項目４に記載のサンプリングプローブ。
（項目１３）
ハウジングと、
前記ハウジング上に取り付けたホール効果センサと、
前記ハウジングに挿入されたサンプリングプローブであって、伸長部と前記伸長部上に挿入された少なくとも１つの磁石を含むサンプリングプローブと
を備えるサンプリングシステム。
（項目１４）
前記ハウジングは、非鉄金属のハウジングとアルマイトハウジングとのうちの１つから選ばれる項目１３に記載のサンプリングシステム。
（項目１５）
前記サンプリングプローブは、外側に歯状をもつ表面を有する実質的に筒状部を含む取り付け具をさらに含む項目１３に記載のサンプリングシステム。
（項目１６）
前記伸長部は、内部通路を含む項目１３に記載のサンプリングシステム。
（項目１７）
前記少なくとも１つの磁石は、少なくとも３つの磁石を含む項目１３に記載のサンプリングシステム。
（項目１８）
前記少なくとも１つの磁石は、第１の方向に沿って配向された極性を有する少なくとも２つの磁石と、前記第１の方向の反対の方向に沿って配向された極性を有する少なくとも１つの付加的な磁石とを含む項目１７に記載のサンプリングシステム。
（項目１９）
前記少なくとも３つの磁石の各々は、希土類磁石である項目１７に記載のサンプリングシステム。
（項目２０）
前記サンプリングプローブは、光センサを備えない項目１３に記載のサンプリングシステム。
（項目２１）
前記サンプリングプローブは、非磁性金属スプリングを備えない項目１３に記載のサンプリングシステム。
（項目２２）
前記サンプリングプローブは、歪みゲージを備えない項目１３に記載のサンプリングシステム。
（項目２３）
前記サンプリングプローブの軸の較正を通じてサンプリングプローブのドリフト補償を可能にするように構成されたアナログセンサをさらに備える項目１３に記載のサンプリングシステム。
（項目２４）
約２．５ｍｍ〜約４．５ｍｍの間のストロークを用いて前記サンプリングプローブの動作を制御するように構成されたコントローラをさらに備え、前記ストロークは、検知用として約０．７５ｍｍ〜約１．２５ｍｍの間、および停止用として約０．７５ｍｍ〜約１．２５ｍｍの間を含む項目１３に記載のサンプリングシステム。
（項目２５）
前記ストロークは、動作雑音用として約０．７５ｍｍ〜約１．２５ｍｍの間をさらに含む項目２４に記載のサンプリングシステム。
（項目２６）
前記ストロークは、オーバーストローク用として約０．２５ｍｍ〜約０．７５ｍｍの間をさらに含む項目２４に記載のサンプリングシステム。
（項目２７）
複数のサンプルを含むように構成されたサンプルプレートを受け入れるように構成されたトレーを含むサンプリング区画と、
前記サンプルプレートからサンプルを取得するように構成されたプローブであって、取り付け具と、前記取り付け具から伸長する伸長部と、前記伸長部上に挿入された複数の磁石を含む復元バネとを含むプローブと
を備えるプレートサンプリング装置。
（項目２８）
ホール効果センサをさらに備える項目２７に記載のプレートサンプリング装置。
（項目２９）
流動流体内のサンプルを音響的に集束するように構成されたフローサイトメータと、
前記フローサイトメータと流体連通するプレートサンプラーであって、
複数のサンプルを含むように構成されたサンプルプレートを受け入れるように構成されたトレーを含むサンプリング区画と、
前記サンプルプレートからサンプルを取得するように構成されたプローブであって、取り付け具と、前記取り付け具から伸長する伸長部と、前記伸長部上に挿入された複数の磁石を含む復元バネとを含むプローブと
を含むプレートサンプラーと
を備える高スループットのサイトメトリーシステム。
（項目３０）
前記プレートサンプラーは、ホール効果センサをさらに含む項目２９に記載の高スループットのサイトメトリーシステム。
（項目３１）
プレートサンプラー内の１つ以上のサンプルを含むサンプルプレートをサンプリングするステップと、
取り付け具と、前記取り付け具から伸長する伸長部と、前記伸長部上に挿入された少なくとも２つの対向磁石を含む復元バネとを含むプローブを、前記サンプルプレートに向かって移動させるステップと、
ホール効果センサを用いて、前記伸長位置内の前記対向磁石によって発生された電界強度を検知するステップと、
前記ホール効果センサを用いて、前記対向磁石によって発生された前記電界強度の増大量を検知するステップと、
前記サンプルプレートに向かう前記プローブの動作を止めるステップと、
取り付け具と、前記取り付け具から伸長する伸長部と、前記伸長部上に挿入された複数の磁石を含む復元バネとを含むプローブを用いて、前記サンプルプレート内の前記１つ以上のサンプルからサンプルを取得するステップと
を含むサンプルを取得する方法。
（項目３２）
約２．５ｍｍ〜約４．５ｍｍの間のストロークを用いて前記プローブの動作を制御するステップをさらに含み、前記ストロークは、検知用として約０．７５ｍｍ〜約１．２５ｍｍの間、停止用として約０．７５ｍｍ〜約１．２５ｍｍの間、動作雑音用として約０．７５ｍｍ〜約１．２５ｍｍの間、およびオーバーストローク用として約０．２５ｍｍ〜約０．７５ｍｍの間を含む項目３１に記載の方法。
（項目３３）
前記ホール効果センサを用いて前記対向磁石によって発生された前記電界強度の増大量の検出に際して、前記プローブを磁気的に退縮させるステップをさらに含む項目３１に記載の方法。
（項目３４）
前記ホール効果センサを用いて前記対向磁石によって発生された前記電界強度の増大量の検出に際して、次元的較正信号を生成し、３つの操作上の軸に沿ってプローブ位置を較正するステップをさらに含む項目３１に記載の方法。
（項目３５）
取り付け具を準備するステップと、
前記取り付け具から伸長する伸長部を前記取り付け具上に組み立てるステップと、
前記伸長部上に複数の希土類磁石を含む復元バネを挿入するステップと
を含むサンプリングプローブを製作する方法。
（項目３６）
サンプルプローブと、複数のサンプルを含むように構成されたサンプルプレートを受け入れるように構成されたトレーとを含む装填区画と、
１つ以上の流体容器を受け入れるように構成された流体区画と、
前記装填区画へのアクセスを可能にするように構成された第１のアクセスドアと、
前記流体区画へのアクセスを可能にするように構成された第２のアクセスドアと
を備えるプレートサンプラー装置。
（項目３７）
前記装填区画は、前記トレーを移動させるように構成された作動機構をさらに含む項目３６に記載の装置。
（項目３８）
前記作動機構は、前記第１のアクセスドアが開かれるとき、前記装置のユーザーまたはロボット機構によって、前記サンプルプレートを前記装置の側面から前記トレー上に装填できるように、前記装填区画内にある第１の位置と少なくとも部分的に前記装填区画外に位置する第２の位置との間の重力方向に実質的に垂直な方向に沿って、前記トレーを動かすように構成される項目３７に記載の装置。
（項目３９）
前記作動機構は、前記第１のアクセスドアが開かれるとき、前記装置のユーザーまたはロボット機構によって、前記サンプルプレートを前記装置の上から前記トレー上に装填できるように、前記装填区画内にある第１の位置と少なくとも部分的に前記装填区画外に位置する第２の位置との間の重力方向に実質的に平行な方向に沿って、前記トレーを動かすように構成される項目３７に記載の装置。
（項目４０）
前記第１のアクセスドアの１つ以上の側部は、前記第２の位置内の所定の位置に前記トレーを保持するように構成された１つ以上の刻み目を含む項目３９に記載の装置。
（項目４１）
前記第１のアクセスドアを囲む前記装置の最上面は、流出する流体を収納するように構成された陥凹部を含む項目３９に記載の装置。
（項目４２）
前記トレーは、前記トレー内の所定の位置にサンプルプレートを保持するように構成された複数の突出隅角部を含む項目３６に記載の装置。
（項目４３）
前記第１のアクセスドアは、前記装置の最上面内に配置される項目３６に記載の装置。
（項目４４）
前記第２のアクセスドアは、前記流体区画内に受け入れられた１つ以上の流体容器内の液面をユーザーが監視することを可能にする１つ以上の窓を含む項目３６に記載の装置。
（項目４５）
複数のＬＥＤインジケータをさらに備える項目３６に記載の装置。
（項目４６）
音響フローサイトメータ、または前記音響フローサイトメータと通信するコンピュータ、または少なくとも部分的に装置を制御するロボット機構に、直接接続されるように構成されたデータ転送ポートをさらに備える項目３６に記載の装置。
（項目４７）
流動流体内のサンプルを音響的に集束するように構成されたフローサイトメータと、
前記フローサイトメータと流体連通するプレート装填器と
を備える高スループットのサイトメトリーシステム。
（項目４８）
前記プレート装填器は、
サンプルプローブと、複数のサンプルを含むように構成されたサンプルプレートを受け入れるように構成されたトレーとを含む装填区画と、
１つ以上の流体容器を受け入れるように構成された流体区画と、
前記装填区画へのアクセスを可能にするように構成された第１のアクセスドアと、
前記流体区画へのアクセスを可能にするように構成された第２のアクセスドアと
を含む項目４７に記載のシステム。
（項目４９）
前記装填区画は、前記トレーを移動させるように構成された作動機構をさらに含む項目４８に記載のシステム。
（項目５０）
前記作動機構は、前記第１のアクセスドアが開かれるとき、前記サンプルプレートを前記装置の側面から前記トレー上に装填できるように、前記装填区画内にある第１の位置と少なくとも部分的に前記装填区画外に位置する第２の位置との間の重力方向に実質的に垂直な方向に沿って、前記トレーを動かすように構成される項目４９に記載のシステム。
（項目５１）
前記作動機構は、前記第１のアクセスドアが開かれるとき、前記サンプルプレートを前記装置の上から前記トレー上に装填できるように、前記装填区画内にある第１の位置と少なくとも部分的に前記装填区画外に位置する第２の位置との間の重力方向に実質的に平行な方向に沿って、前記トレーを動かすように構成される項目４９に記載のシステム。
（項目５２）
前記第１のアクセスドアの１つ以上の側部は、前記第２の位置内の所定の位置に前記トレーを保持するように構成された１つ以上の刻み目を含む項目５１に記載のシステム。
（項目５３）
前記第１のアクセスドアを囲む前記装置の最上面は、流出する流体を収納するように構成された陥凹部を含む項目５１に記載のシステム。
（項目５４）
前記トレーは、前記トレー内の所定の位置にサンプルプレートを保持するように構成された複数の突出隅角部を含む項目４８に記載のシステム。
（項目５５）
１つ以上のサンプルプレート間で１つ以上の流体およびサンプルを移送するように構成され、かつ前記プレート装填器の前記トレーに前記１つ以上のサンプルプレートを挿入するように前記１つ以上のサンプルプレートを空間的に操作するようにさらに構成されたロボット機構と、
１つ以上の実験プロトコルにしたがって、前記フローサイトメータ、前記プレート装填器、およびロボット機構を制御するように構成されたコントローラと
をさらに備える項目４８に記載のシステム。
（項目５６）
フローサイトメータと、
前記フローサイトメータと流体連通するプレート装填器であって、
サンプルプローブと、複数のサンプルを含むように構成されたサンプルプレートを受け入れるように構成されたトレーと、
１つ以上の流体容器を受け入れるように構成された流体区画と、
前記装填区画へのアクセスを可能にするように構成された第１のアクセスドアと、
前記流体区画へのアクセスを可能にするように構成された第２のアクセスドアと
を含むプレート装填器と
を備える高スループットのサイトメトリーシステム。
（項目５７）
フローサイトメータと、
前記フローサイトメータと流体連通するプレート装填器であって、前記プレート装填器の上からトレー上にサンプルプレートを装填できるように、前記プレート装填器の最上面に向かって前記トレーを移動させるように構成された作動機構を含むプレート装填器と
を備える高スループットのサイトメトリーシステム。